(57)【要約】【課題】  嵌合状態を保持すると共に、レバー解除作業性を向上するレバー嵌合式コネクタを提供する。【解決手段】  雌ハウジング２レバー挿通孔６の内壁６Ａには、雌雄のコネクタハウジング同士が本係止（結合）されたときに、レバー５の回動を防止する回転防止用ロック１２が設けられ、レバー５の周面には回転防止用ロック１２の回転ロック部１２Ｄが係当、収容される回転ロック用凹部５８が形成され、回転ロック部１２Ｄが回転ロック用凹部５８の側壁面５８Ｂと当接することにより、過回転により回転ロック部１２Ｄがレバー５側へ引き込まれるように角度設定されている。【選択図】      図１２
2006079844.tif 000002
【特許請求の範囲】
【請求項１】
一方のコネクタハウジングに回転可能に挿通、保持されたロッド状のレバーの回転によって他方のコネクタハウジングを引き込み、前記両方のコネクタハウジング同士を嵌合させるレバー嵌合式コネクタであって、
前記一方のコネクタハウジングには、前記レバーを挿通するための挿通孔が設けられ、前記挿通孔の内壁には、前記レバーに設けられた被係当部に係当して該レバーの過回転を防止する係当部を有する回転防止用ロックが設けられ、
前記係当部における前記挿通孔の周方向側の係当面と、前記被係当部における前記レバーの周方向側の被係当面とが、前記レバーが過回転されるときに、前記係当部が前記レバー側へ向けて引き込まれるように傾斜していることを特徴とするレバー嵌合式コネクタ。
【請求項２】
請求項１記載のレバー嵌合式コネクタであって、
前記被係当面は、前記被係当部における前記レバーの周方向の両側に形成されていることを特徴とするレバー嵌合式コネクタ。
【請求項３】
請求項１又は請求項２に記載のレバー嵌合式コネクタであって、
前記被係当部は、前記レバーの周面に形成された回転ロック用凹部であることを特徴とするレバー嵌合式コネクタ。
【請求項４】
請求項１乃至請求項３のいずれか一項に記載されたレバー嵌合式コネクタであって、
前記回転防止用ロックは、
前記挿通孔の中心方向に向かって突出する支柱部と、
前記支柱部より前記レバーの挿入方向の反対方向に延びるロック解除部と、
前記ロック解除部より前記支柱部を挟んで前記レバーの挿入方向に延びる一対のアーム部と、
前記一対のアーム部の先端に連結するように形成された前記係当部と、
を備えることを特徴とするレバー嵌合式コネクタ。
【請求項５】
請求項４記載のレバー嵌合式コネクタであって、
前記ロック解除部は、前記一方のコネクタハウジングにおける前記他方のコネクタハウジングとの嵌合方向と反対側で露出されていることを特徴とするレバー嵌合式コネクタ。
【請求項６】
請求項５記載のレバー嵌合式コネクタであって、
前記一方のコネクタハウジングには、柔軟性を有する防水用カバーが被せられ、前記防水用カバーの外側から前記ロック解除部の操作が可能であることを特徴とするレバー嵌合式コネクタ。
【請求項７】
請求項６記載のレバー嵌合式コネクタであって、
前記防水用カバーには、前記ロック解除部の操作を可能にする解除操作用凹部が形成されていることを特徴とするレバー嵌合式コネクタ。
【発明の詳細な説明】
【技術分野】
【０００１】
本発明は、雌雄のコネクタをレバーの回動操作により嵌合、離脱させることができるレバー嵌合式コネクタに関する。
【背景技術】
【０００２】
従来、カムボルト（レバー）を回転させることにより雌雄のコネクタを嵌合させる嵌合操作用カムボルト付きコネクタが知られている（例えば、特許文献１参照。）。このコネクタでは、両方のコネクタにカムボルトの挿通孔が形成され、カムボルトの周面に形成したスクリュウ溝に収容される突起が一方のコネクタの挿通孔内に突設されており、カムボルトを回転させることにより、一方のコネクタを他方のコネクタに向けて移動させることで、一対のコネクタを互いに嵌合させるようになっている。
【特許文献１】実公平７−４１１０３号公報（第１頁、図１）
【発明の開示】
【発明が解決しようとする課題】
【０００３】
しかしながら、上述した従来のコネクタは、一対のコネクタ同士が嵌合した位置でカムボルトの回転を止めるものであるが、これらコネクタの嵌合を保持するためのロック機構を有しないものであった。
【０００４】
このようなコネクタにおいてロック機構を設けようとした場合、通常、カムボルトの挿通孔にロック機構を設けることが考えられるが、カムボルトの取っ手部に力が加わるとカムボルトの挿通孔には非常に大きな力が加わる。カムボルトの係止保持力の規格を満足させるためには、ロック機構自体を強固なものにする必要があった。例えば、ロック機構として、カムボルトに係止する係止片をコネクタ側に設けた場合、この係止片を強固なものにすると、ロック解除の際に係止片を撓ませることが困難になり、ロック解除作業性が悪くなることが考えられていた。このように係止片を用いたロック機構では、ロック係止力の向上とロック解除力の低減を同時に成り立たせることが困難であった。
【０００５】
そこで、本発明の目的は、コネクタハウジング同士の結合力が高く、ロック解除作業性の良好なレバー嵌合式コネクタを提供することにある。
【課題を解決するための手段】
【０００６】
請求項１記載の発明は、一方のコネクタハウジングに回転可能に挿通、保持されたロッド状のレバーの回転によって他方のコネクタハウジングを引き込み、前記両方のコネクタハウジング同士を嵌合させるレバー嵌合式コネクタであって、前記一方のコネクタハウジングには、前記レバーを挿通するための挿通孔が設けられ、前記挿通孔の内壁には、前記レバーに設けられた被係当部に係当して該レバーの過回転を防止する係当部を有する回転防止用ロックが設けられ、前記係当部における前記挿通孔の周方向の係当面と、前記被係当部における前記レバーの周方向の被係当面とが、前記レバーが過回転されるときに、前記係当部が前記レバー側へ向けて引き込まれるように傾斜していることを特徴としている。
【０００７】
請求項２記載の発明は、請求項１記載のレバー嵌合式コネクタであって、前記被係当面は、前記被係当部における前記レバーの周方向の両側に形成されていることを特徴としている。
【０００８】
請求項３記載の発明は、請求項１又は請求項２に記載のレバー嵌合式コネクタであって、前記被係当部は、前記レバーの周面に形成された回転ロック用凹部であることを特徴としている。
【０００９】
請求項４記載の発明は、請求項１乃至請求項３のいずれか一項に記載されたレバー嵌合式コネクタであって、前記回転防止用ロックは、前記挿通孔の中心方向に向かって突出する支柱部と、前記支柱部より前記レバーの挿入方向の反対方向に延びるロック解除部と、前記ロック解除部より前記支柱部を挟んで前記レバーの挿入方向に延びる一対のアーム部と、前記一対のアーム部の先端に連結するように形成された前記係当部と、を備えることを特徴としている。
【００１０】
請求項５記載の発明は、請求項４記載のレバー嵌合式コネクタであって、前記ロック解除部は、前記一方のコネクタハウジングにおける前記他方のコネクタハウジングとの嵌合方向と反対側で露出されていることを特徴としている。
【００１１】
請求項６記載の発明は、請求項５記載のレバー嵌合式コネクタであって、
前記一方のコネクタハウジングには、柔軟性を有する防水用カバーが被せられ、前記防水用カバーの外側から前記ロック解除部の操作が可能であることを特徴としている。
【００１２】
請求項７記載の発明は、請求項６記載のレバー嵌合式コネクタであって、前記防水用カバーには、前記ロック解除部の操作を可能にする解除操作用凹部が形成されていることを特徴としている。
【発明の効果】
【００１３】
請求項１記載の発明によれば、一方のコネクタハウジングの挿通孔の内壁に設けられた回転防止用ロックの係当部がレバーの被係当部に係当することにより、レバーの過回転を防止することができる。また、係当部の係当面が被係当部の被係当面と当接して、過回転された場合にレバー側へ向けて引き込まれるように傾斜しているため、係当部と被係当部との係合が解除されにくく、コネクタハウジング同士の嵌合状態を確実に保持することが可能である。
【００１４】
請求項２記載の発明によれば、請求項１記載の発明の効果に加えて、被係当面が、被係当部におけるレバーの周方向の両側に形成されているため、レバーの回転方向に応じて両側の被係当面のうちのいずれかが回転防止用ロックの係当部に係当する。このため、レバーは周方向のいずれの向きにも回転することができず、レバーが誤回転することを防止できる。
【００１５】
請求項３記載の発明によれば、請求項１および請求項２に記載された発明の効果に加えて、レバーの周面に形成された回転ロック用凹部を被係当部としたことにより、回転ロック用凹部におけるレバーの周方向のいずれの内側壁面も係当部と係当することにより、レバーの回転を防止することができる。
【００１６】
請求項４記載の発明によれば、請求項１〜請求項３に記載された発明の効果に加えて、回転防止用ロックが、ロック解除部と、一対のアーム部に連結された係当部と、が支柱部を支点として揺動する所謂シーソーロック構造であるため、ロック解除部を外側から弱い力で押圧することにより、レバーの回転ロックを容易に解除することができる。
【００１７】
請求項５記載の発明によれば、請求項４記載の発明の効果に加えて、ロック解除部が、一方のコネクタハウジングにおける他方のコネクタハウジングとの嵌合方向と反対側で露出されているため、一方のコネクタハウジングのレバー挿入入口側からロック解除部を操作することが可能となり、作業性を向上できる。
【００１８】
請求項６記載の発明によれば、請求項５記載の発明の効果に加えて、一方のコネクタハウジングに被せた防水用カバーの外側からロック解除部を操作できるため、作業性を向上することができる。
【００１９】
請求項７記載の発明によれば、請求項６記載の発明の効果に加えて、防水用カバーに、前記ロック解除部の操作を可能にする解除操作用凹部が形成されているため、この解除操作凹部に指を挿入して回転防止用ロックのロック解除部を押圧操作することが容易であり、解除作業性を向上することができる。
【発明を実施するための最良の形態】
【００２０】
以下、本発明の実施の形態に係るレバー嵌合式コネクタの詳細を説明する。
【００２１】
本発明の実施の形態に係るレバー嵌合式コネクタの概略は、一方のコネクタハウジングとしての雌ハウジングに回転可能に挿通、保持されたロッド状の部分を有するレバーの回転によって他方のコネクタハウジングとしての雄ハウジングを引き込み、両方のコネクタハウジング同士を嵌合させるものである。雌ハウジングには、レバーを挿通するための挿通孔が設けられている。この挿通孔の内壁には、雌雄のコネクタハウジング同士が本係止（結合）されたときに、レバーの回動を防止する回転防止用ロックが設けられている。また、この回転防止用ロックに対応してレバーの周面には、被係当部としての回転ロック用凹部が形成されている。
【００２２】
なお、この挿通孔の内壁には、回転防止用ロック以外に、レバーが所定の回転位置にあるときのみレバーを雌ハウジングに挿通可能にするリブと、可撓性を有するレバー保持ロックと、が設けられている。そして、このリブが、レバー保持ロックと同時にレバーに設けられた抜け止め部に当接しレバーを抜け止め保持するように構成されている。
【００２３】
次に、本実施の形態に係るレバー嵌合式コネクタを図面に基づいて具体的に説明する。図１に示すように、本実施の形態に係るレバー嵌合式コネクタ１は、雌ハウジング２と、雄ハウジング３と、ムービングプレート４と、レバー５と、から大略構成されている。なお、雌ハウジング２には、図２に示す雌ハウジングカバー６０が装着されるようになっている。また、雌ハウジング２に雌ハウジングカバー６０を装着した状態で、図３に示すような柔軟性を有するカバーとして、ゴム製のグロメット７０が装着される。図５は上記ムービングプレート４を雄ハウジング３に仮止め収納した状態であり、雌ハウジングカバー６０及びグロメット７０を省略した斜視図である。
【００２４】
［雌ハウジングの構成］
図１に示すように、雌ハウジング２は、略中央に嵌合方向Ａ（矢示する）に貫通する挿通孔としてのレバー挿通孔６が形成されている。また、雌ハウジング２は、レバー挿通孔６の周囲に複数のキャビティ７が嵌合方向Ａに沿って貫通して形成されている。各キャビティ７内には、図示しない雌端子金具が収容、保持されている。
【００２５】
また、本実施の形態の雌ハウジング２においては、雌ハウジング２と雄ハウジング３との嵌合部分を通らずに、雌ハウジング２の嵌合方向Ａの一方から他方に向けて電線（図２に一点鎖線で示す）を挿通、配置することができるスルー配索用通路８が形成されている。
【００２６】
なお、図２に示すように、雌ハウジング２における、レバー５を挿入する側の端面には、電線を案内、保護する雌ハウジングカバー６０が装着されるようになっている。
【００２７】
上記レバー挿通孔６は、雌ハウジング２の非嵌合面側の略中央から嵌合方向と反対側に突出する筒体９の筒孔であり、雌ハウジング２の本体を貫通するように開設されている。
【００２８】
図５及び図８に示すように、レバー挿通孔６の内壁６Ａには、レバー挿通孔６内に向けて突出するリブ１０と、このレバー挿通孔６に臨む、可撓性を有するアーム状のレバー保持ロック１１と、回転防止用ロック１２と、が設けられている。
【００２９】
リブ１０は、直方体形状の小突起であり、後述するレバー５に形成した案内溝としてのキー溝５４にレバー５が雌ハウジング２に対して所定の回転角度のときに入り込むようになっている。
【００３０】
レバー保持ロック１１は、図５及び図６に示すように、レバー挿通孔６の内壁６Ａの一部をなすアーム状の形状であり、自由端にレバー挿通孔６内に向けて突出するレバー保持用突起１１Ａが形成されている。また、レバー保持ロック１１の自由端の外側部分には、図示しない解除用治具を引っ掛けるレバー解除用突起１１Ｂが、嵌合方向Ａの雄ハウジング３側に向けて突設されている。
【００３１】
そして、本実施の形態においては、図５及び図８に示すように、リブ１０と、レバー保持ロック１１のレバー保持用突起１１Ａとが、レバー挿通孔６におけるほぼ同一の奥行き位置に配置され、互いに回転軸を中心として略９０°ずれた位置に配置されている。
【００３２】
上記回転防止用ロック１２は、図５及び図７（Ａ）、（Ｂ）に示すように、雌ハウジング２の筒体９の入口側端部に設けられている。この回転防止用ロック１２は、中間部が筒体９に一体的に設けられたものであり、筒体９の入口側端部からレバー挿通孔６の中心に向かって突出する支柱部１２Ａと、この支柱部１２Ａの端部から立ち上がる反発性を有する解除操作用板部１２Ｂと、この解除操作用板部１２Ｂの両側下部より垂下アーム１２Ｃがレバー挿通孔６の内奥へ向けて延在され、これら一対の垂下アーム１２Ｃの端部が略矩形板状の係当部としての回転ロック部１２Ｄとから構成されている。この回転ロック部１２Ｄは、後述するレバー５の回転ロック用凹部５８に入り込むことにより、レバー５の過回転を防止するようになっている。
【００３３】
図１２に示すように、この回転ロック部１２Ｄにおける、レバー５の回転方向の両側面１２Ｅと、レバー５側に対向する内側面１２Ｆとは、９０°より小さい角度をなすように設定されている。このため、レバー５を過回転させた場合に、後述する回転ロック用凹部５８の側壁面５８Ｂに当接して回転ロック部１２Ｄがレバー５側へ引き込まれる方向の作用を受けるようになっている。したがって、回転防止用ロック１２がレバー５の過回転により解除されてしまうことを防止できる。
【００３４】
回転防止用ロック１２の回転ロック部１２Ｄは、図８に示すように、レバー挿通孔６の内壁６Ａにおいて、リブ１０やレバー保持ロック１１のレバー保持用突起１１Ａよりも、レバー挿通孔６のレバー入口側にずれた位置にある。また、本実施の形態においては、回転防止用ロック１２は、レバー挿通孔６の回転軸を中心として、レバー保持ロック１１と１８０°をなす位置に、すなわちレバー保持ロック１１と対向する位置に、配置されている。
【００３５】
また、雌ハウジング２における、雄ハウジング３と嵌合する側には、図１に示すように、スルー配索用通路８と雌ハウジング２の嵌合部分とを区画する仕切板１３が形成されている。
【００３６】
［雌ハウジングカバーの構成］
次に、図２を用いて雌ハウジングカバー６０の構成を説明する。この雌ハウジングカバー６０は、雌ハウジング２の非嵌合面側に装着されるものである。雌ハウジングカバー６０は、雌ハウジング２の非嵌合面側を覆うと共に雌ハウジング２の周縁部に係合する複数の係合部６１が形成されたカバー本体６２と、カバー本体部６２から側方へ延在された電線導出部６３と、が一体に形成されてなる。
【００３７】
カバー本体部６２は、略円形であり、中央に上記した雌ハウジング２の筒体９を嵌合させる筒体挿入口６４が形成されている。また、この筒体挿入口６４に連通するように、筒体挿入口６４の一部から外側へ平面略扇形の切り欠き空間６５が形成されている。この切り欠き空間６５は、筒体９に形成された回転防止用ロック１２の解除操作用板部１２Ｂを後述するグロメット７０を介して操作する空間として利用される。
【００３８】
したがって、雌ハウジング２に雌ハウジングカバー６０を取り付ける位置関係は、筒体挿入口６４に筒体９を挿入したときに、筒体９に設けられている解除操作用板部１２Ｂが切り欠き空間６５に対向するような位置となるように設定されている。
【００３９】
また、電線導出部６３は、雌ハウジング２の図示しない雌端子金具に接続された電線や、スルー配索用通路８を通るように配索された電線を束ねて方向付けると共に、これら電線を保護する機能を有するものである。
【００４０】
［グロメットの構成］
次に、図３を用いてグロメット７０の構成を説明する。グロメット７０は、上述の雌ハウジングカバー６０を覆う柔軟性を有するゴム製の防水用カバーであり、雌ハウジングカバー６０のカバー本体部６２を覆う略円形容器状のグロメット本体部７１と、雌ハウジングカバー６０の電線導出部６３を覆う引き出し部７２と、引き出し部７２の端部より延在された、電線を束ねると共に可撓性を有する蛇腹状の結束用筒部７３と、が一体的に形成されている。
【００４１】
グロメット本体部７１の中央には、雌ハウジング２と雌ハウジングカバー６０を組み付けたものに装着した際に、雌ハウジング２のレバー挿通孔６及び筒体挿入口６４に連通するレバー入口７４が形成されている。そして、このレバー入口７４の側方の所定位置には、解除操作用凹部７５が形成されている。この解除操作用凹部７５は、図１３に示すように、上述した雌ハウジング２に設けた回転防止用ロック１２の解除操作用板部１２Ｂの外側面に沿って対向するように位置設定されている。また、この解除操作用凹部７５は、指が挿入できる程度の空間を形成している。
【００４２】
［雄ハウジングの構成］
次に、図１、図４及び図５を用いて雄ハウジング３の構成を説明する。雄ハウジング３は、本体の嵌合面側に上記雌ハウジング２側に向けて突出するフード部１４が形成され、このフード部１４内に雌ハウジング２が嵌合するようになっている。なお、フード部１４は、雌ハウジング２との嵌合する部分を取り囲む形状であり、雌雄のハウジング２、３が嵌合したときに、雌ハウジング２の仕切板１３が、フード部１４の外側に配置される構造となっている。また、フード部１４内の雄ハウジング３の本体には、嵌合方向に沿って複数のキャビティ１５が形成されている。これらキャビティ１５には、図示しない雄端子金具が収容、固定され、これら雄端子金具がフード部１４内に突出するようになっている。
【００４３】
そして、雄ハウジング３における略中央部には、互いに対向して対向面が仮想円筒の周面の一部をなす一対のレバー係合板１６が、フード部１４内に突出するように設けられている。なお、これら一対のレバー係合板１６同士の対向面は、レバー５の外周面と摺接するように寸法設定されている。また、これら一対のレバー係合板１６の基部同士の間には、レバー５が嵌合する図示しない貫通孔が形成されている。さらに、これら一対のレバー係合板１６の対向面には、互いに対峙する位置に、後述するレバー５の外周面に形成したスクリュウ溝５５Ａ、５５Ｂに捕捉、収容される係合突起１６Ａが突設されている。
【００４４】
［ムービングプレートの構成］
図１を用いてムービングプレート４の構成を説明する。ムービングプレート４は、雄ハウジング３のフード部１４内に収容される形状であり、フード部１４内に突設されている図示しない雄端子金具のそれぞれを挿入する複数の端子挿入孔１７が形成されている。また、雄ハウジング３のフード部１４内の一対のレバー係合板１６を挿通させる略矩形状の切り欠き部１８が形成されている。また、この切り欠き１８の四隅には、雄ハウジング３側に仮係止されると共に、雌雄のハウジング２、３が結合した時点で雌ハウジング２に形成された図示しない係止突部と係合する係止片１９が、雌ハウジング２側へ向けて突設されている。さらに、ムービングプレート４の周縁の２箇所にも係止片２０が突設されている。
【００４５】
［レバーの構成］
次に、レバー５の構成を説明する。本実施の形態では、図１、図４、図５及び図９に示すように、レバー５は、雌雄のハウジング２、３に挿入されるロッド状のレバー本体５１と、このレバー本体５１における雌ハウジング２へ挿入する方向と反対側となる後端部に、手で持って回転操作を行うための操作部５２、５３と、を有している。操作部５２は、レバー本体５１に直角をなすように設けられた比較的長いロッド状の把持部であり、操作部５３は、上記操作部５２に所定角度（本実施の形態では約７０°）をもってレバー本体５１に直角をなすように設けられている。
【００４６】
レバー本体５１の長さは、雌ハウジング２と雄ハウジング３とが嵌合していない状態で且つ両ハウジング２、３を当接させた状態において、少なくとも、雌ハウジング２のレバー挿通孔６を貫通して雄ハウジング３の一対のレバー係合板１６同士の間に至る長さに設定されている。
【００４７】
レバー本体５１の先端部分は、先端へ向けて漸次細くなるように形成されている。このように先端へ向けて細くなる構造であるため、レバー本体５１が、雌ハウジング２のレバー挿通孔６や雄ハウジング３の一対のレバー係合板１６同士の間に案内され易くなっている。
【００４８】
また、図１、図４及び図５に示すように、レバー本体５１の周面には、軸方向に沿って先端部から所定長さの直線状の案内溝としてのキー溝５４が１本形成されている。そして、レバー本体５１の先端部からキー溝５４の長さより短い範囲には、約１回転するスクリュウ溝５５Ａ、５５Ｂが、先端部の互いに反対側周面を起点として螺旋状に並行して形成されている。
【００４９】
なお、このキー溝５４の長さは、キー溝５４の後端が、リブ１０やレバー保持ロック１１のレバー保持用突起１１Ａの位置まで挿入されたときに、先端部のスクリュウ溝５５Ａ、５５Ｂの起点（先端）が、雄ハウジング３の一対のレバー係合板１６の対向面に突設された係合突起１６Ａを共に拾う（収容する）ことを可能にする長さに設定されている。
【００５０】
また、キー溝５４の後端は、レバー本体５１の周方向に周回して形成されたレバー抜け止め溝５６に連続するよう形成されている。このレバー抜け止め溝５６におけるレバー本体５１の先端側に位置する壁部（側壁面）５７には、図１０に示すように、所定領域に段部５７Ａが形成されている。段部５７Ａの一方の端部は、壁部５７にテーパ面５７Ｂを介して連続して形成されている。
【００５１】
さらに、図１及び図５に示すように、レバー本体５１におけるレバー抜け止め溝５６の後側（レバー本体５１の後端側）には、回転防止用ロック１２の回転ロック部１２Ｄが収容される被係当部としての回転ロック用凹部５８が形成されている。図１２に示すように、この回転ロック用凹部５８は、レバー５を操作して、雌ハウジング２と雄ハウジング３との結合が完了したときに、回転防止用ロック１２の回転ロック部１２Ｄが収容されるように位置設定されている。また、図１２に示すように、回転ロック用凹部５８のレバー本体５１の周方向の長さは、回転ロック部１２Ｄの幅寸法より極僅かに長く設定されている。なお、図１２は図１１のｃ−ｄ断面図である。図１２に示すように、回転ロック用凹部５８は、レバー５の周面の一部である底面５８Ａと、底面より９０°より小さい角度θをなして外側へ立ち上がる両側の側壁面５８Ｂとを有している。
【００５２】
［レバー嵌合式コネクタの作用・動作］
次に、本実施の形態に係るレバー嵌合式コネクタ１の作用・動作を説明する。
【００５３】
（結合操作）
まず、図１に示すように、ムービングプレート４を雄ハウジング３に仮係止する。このとき、ムービングプレート４に形成された端子挿入孔１７には、雄ハウジング３のフード部１４内で突出する、図示しない雄端子金具がそれぞれ対応するように挿入しておく。また、図１１に示すように、雌ハウジング２のスルー配索用通路８には、スルー配索に必要なワイヤーハーネスＷを挿通させておく。
【００５４】
次に、雌ハウジング２と雄ハウジング３との結合面同士を合わせて仮係止させる。そして、レバー５を雌ハウジング２側からレバー挿通孔６に挿入する。このとき、レバー５のレバー本体５１に形成されたキー溝５４がレバー挿通孔６内に向けて突設されたリブ１０を収容するように、レバー５を回動操作して位置合わせする。すると、キー溝５４がレバー本体５１の軸方向に沿った直線状の溝であるため、キー溝５４内にリブを収容した状態でレバー本体５１をレバー挿通孔６に挿入することが可能となる。
【００５５】
その後、レバー本体５１のレバー挿通孔６内への挿入が進むと、リブ１０が抜け止め溝５６の側壁に当接してそれ以上の挿入が阻止される。このようにリブ１０が抜け止め溝５６に移動すると同時に、レバー保持ロック１１のレバー保持用突起１１Ａは、図６に示すように、壁部５７側を乗り越えて反発性により抜け止め溝５６内に落ち込む。すると、レバー本体５１は、レバー保持用突起１１Ａにより進退動作が阻止されることにより、レバー５が雌ハウジング２に仮係止される。なお、この状態では、レバー保持ロック１１は、外側に撓んだ後に抜け止め溝５６に収納されるため、そのオーバーストローク分の寸法は、壁部５７との間にクリアランスとして存在する。
【００５６】
このとき、レバー本体５１のスクリュウ溝５５Ａ、５５Ｂの先端部は、雄ハウジング３の一対のレバー係合板１６の対向面に突設された係合突起１６Ａを共に拾い得る状態にある。加えて、この仮係止状態において、回転防止用ロック１２の回転ロック部１２Ｄは、レバー本体５１に形成された回転ロック用凹部５８の周方向に隣接する凹部５９に収容されている。
【００５７】
次に、本実施の形態では、このように仮係止されたレバー５の操作部５２、５３を、反時計回り方向に回動操作することにより、スクリュウ溝５５Ａ、５５Ｂの先端部がレバー係合板１６の係合突起１６Ａを拾って（収容して）、雌ハウジング２と雄ハウジング３とを互いに引きつけて嵌合させる。
【００５８】
雌ハウジング２に仮係止されたレバー５の回動が所定の回転角度（本実施の形態では３４０°程度）に至ったときに、係合突起１６Ａがスクリュウ溝５５Ａ、５５Ｂの後端部に位置するようになっている。このとき、回転防止用ロック１２の回転ロック部１２Ｄは、凹部５９と回転ロック用凹部５８とを隔てる壁部を乗り越えて回転ロック用凹部５８に収容される。この時点で、回転ロック部１２Ｄが回転ロック用凹部５８に係合して、レバー本体５１の回転動作（過回転）は阻止された状態（本係止状態）となる。このとき、レバー保持ロック１１のレバー保持用突起１１Ａは、壁部５７に沿って相対移動してテーパ面５７Ｂを経て段部５７Ａ上に当接してクリアランスがなくなり、レバー５が軸方向にがたつことを防止できる。
【００５９】
そして、レバー５の回動が阻止されたことにより、スクリュウ溝５５Ａ、５５Ｂに対して係合突起１６Ａの位置は変化することがなく、雌ハウジング２と雄ハウジング３との嵌合は、保持された状態となる。
【００６０】
（解除操作）
次に、上述のように雌ハウジング２と雄ハウジング３とが結合された状態のレバー嵌合式コネクタ１の結合を解除させる操作について説明する。
【００６１】
まず、図７（Ｂ）及び図１３に示すように、グロメット７０の解除操作用凹部７５に指を入れ、解除操作用凹部７５のゴム製の側壁を介して解除操作用板部１２Ｂをレバー挿通孔６の内側へ向けて（図中太い矢印で示す）押圧する。すると、支持部１２Ａを支点にして、回転ロック用凹部５８内に収容されている回転ロック部１２Ｄが外側へ（図中太い矢印で示す）移動してレバー本体５１が回転可能となる。
【００６２】
この状態で、操作部５２、５３を持って、結合操作とは逆の方向（本実施の形態では時計回り方向）に回動して、レバー本体５１に形成されたキー溝５４がリブ１０と同一直線上に位置するようにする。この結果、スクリュウ溝５５Ａ、５５Ｂ内の係合突起１６Ａがスクリュウ溝５５Ａ、５５Ｂの先端部まで案内、駆動されて雌ハウジング２と雄ハウジング３との嵌合は解除される。この状態では、抜け止め溝５６にレバー保持ロック１１のレバー保持用突起１１Ａが収容されているため、抜け止め溝５６の壁部５７にレバー保持用突起１１Ａが当たってレバー本体５１をレバー挿通孔６から抜き出すことはできない。
【００６３】
そこで、レバー解除用突起１１Ｂを解除用治具等を用いて図６に示す一点鎖線で示す位置まで外側に撓ませることにより、レバー本体５１の軸方向の移動が可能となる。この状態で、レバー本体５１をレバー挿通孔６から引き抜くことが可能となる。
【００６４】
以上、本実施の形態に係るレバー嵌合式コネクタ１について説明したが、本実施の形態によれば、雌ハウジング２のレバー挿通孔６の内壁６Ａに設けられた回転防止用ロック１２の係当部としての回転ロック部１２Ｄがレバー５に形成した被係当部としての回転ロック用凹部５８に係当することにより、レバーの過回転を防止することができる。また、回転ロック部１２Ｄの係当面と回転ロック用凹部５８の被係当面とが、過回転された場合に回転ロック部１２Ｄがレバー側へ向けて引き込まれるように傾斜しているため、回転防止用ロック１２が解除されにくく、ハウジング同士の嵌合状態を確実に保持することが可能である。
【００６５】
また、本実施の形態に係るレバー嵌合式コネクタ１では、回転防止用ロック１２が、解除操作用板部１２Ｂと、一対の垂下アーム１２Ｃに連結された回転ロック部１２Ｄと、が支柱部１２Ａを支点として揺動する所謂シーソーロック構造であるため、解除操作用板部１２Ｂをグロメット７０を介して外側から弱い力で押圧することにより、レバーの回転ロックを容易に解除することができる。このため、雌ハウジング２のレバー挿通孔６側から回転防止用ロック１２を操作することが可能となり、作業性を向上できる。
【００６６】
さらに、本実施の形態のレバー嵌合式コネクタ１によれば、雌ハウジング２に形成されたレバー挿通孔６の内壁６Ａに設けられたリブ１０と、レバー５に形成されたキー溝５４とが一致したときにだけ、レバー５をレバー挿通孔６内に挿入することができるため、レバー５が雌ハウジング２内に所定の回転位置以外に位置するときに挿入されることが防止でき、所謂誤結合を防止することができる。
【００６７】
また、本実施の形態によれば、レバー挿通孔６の内壁６Ａに設けられた可撓性を有するレバー保持ロック１１とリブ１０とが、レバー５に形成された抜け止め部としての、抜け止め溝５６の壁部５７に同時に当接してレバー５を抜け止め保持することができるため、レバー５を雌ハウジング２に仮係止（保持）する保持力を大きくすることができる。また、レバー保持ロック１１とリブ１０で軸方向の移動が規制されたレバー５を雌ハウジング２が離脱させるには、一旦、回転防止用ロック１２を外した状態で、レバー保持ロック１１がレバー５に係合している状態のみ解除する操作を行えばよいため、レバー解除作業性を向上することができる。
【００６８】
さらに、本実施の形態によれば、レバー５のキー溝５４に、レバー挿通孔６の内壁６Ａに設けられたリブ１０が収容されることで、レバー５をレバー挿通孔６へ挿入することが可能となるため、レバー挿通孔６とレバー５との間でがたつきが発生しない程度に密に嵌合する寸法設定が可能となる。このため、可撓性を有するレバー保持ロック１１の強度や大きさに関係なく、レバー５がぐらつくことがない。したがって、雌ハウジング２にレバー５を保持した状態でレバー５を回動させて、雄ハウジング３を雌ハウジング２に結合させる場合に、レバー５のぐらつきを抑えることができ、雄ハウジング３を確実に雌ハウジング２側に結合させることができる。
【００６９】
また、本実施の形態によれば、リブ１０と、レバー保持ロック１１におけるレバー保持用突起１１Ａと、がレバー保持ロック１１のオーバーストローク分だけレバー本体５１の長手方向にずれた位置に配置されているため、図１０に示すように、レバー５には、リブ１０が当接する幅広部５６Ａの壁面（壁部５７）と、本係止状態にあるときにレバー保持ロック１１のレバー保持用突起１１Ａと当接する幅狭部５６Ｂの壁面（段部５７Ａ）とが形成されており、レバー５のがたつきを防止することができる。具体的には、幅広部５６Ａの壁面（壁部５７）と幅狭部５６Ｂの壁面（段部５７Ａ）とをテーパ面５７Ｂで連続させたことにより、雌雄ハウジング２、３の嵌合を行うために、レバー５を回動操作する際に、レバー保持ロック１１のレバー保持用突起１１Ａがテーパ面５７Ｂを滑って幅狭部５６Ｂの壁面（段部５７Ａ）がレバー保持用突起１１Ａに対して円滑に移動することができるため、操作性を向上することができる。
【００７０】
さらに、本実施の形態によれば、レバー５の基部に操作部５２、５３を一体に設けたことにより、レバー５の回動操作を容易にすることができる。
【００７１】
［その他の実施の形態］
上述した実施の形態の開示の一部をなす論述および図面はこの発明を限定するものであると理解すべきではない。この開示から当業者には様々な代替実施の形態、実施例および運用技術が明らかとなろう。
【００７２】
例えば、上述した実施の形態では、レバー５を雌ハウジング２に仮係止する構成であるが、雄ハウジング３に仮係止する構成としても勿論よい。
【００７３】
また、上記した実施の形態では、雌ハウジング２と雄ハウジング３とを単に結合させる場合について説明したが、これらの間に、例えば自動車のインストルメントパネルを介して、車室内側とエンジンルーム側のコネクタハウジング同士を結合させる場合に適用することが可能である。この場合、インストルメントパネルに貫通孔を形成し、一方のハウジングをインストルメントパネルに保持した状態で、他方のハウジングをインストルメントパネルの反対側から仮係止し、例えば車室内側からレバー５を回転操作することにより、コネクタハウジング同士を結合させることが可能となり、コネクタの装着作業並びに解除作業を容易にすることができる。
【図面の簡単な説明】
【００７４】
【図１】本発明の実施の形態に係るレバー嵌合式コネクタの分解斜視図である。
【図２】本発明の実施の形態に係る雌ハウジング２及び雌ハウジングカバーを示す斜視図である。
【図３】本発明の実施の形態に係るグロメットを示す斜視図である。
【図４】本発明の実施の形態に係るレバー嵌合式コネクタの分解側面図である。
【図５】本発明の実施の形態に係るレバー嵌合式コネクタの分解斜視図である。
【図６】本発明の実施の形態に係るレバー嵌合式コネクタの要部断面図である。
【図７】（Ａ）は本発明の実施の形態に係るレバー嵌合式コネクタの回転防止用ロックの正面図、（Ｂ）は（Ａ）のａ−ｂ断面図である。
【図８】本発明の実施の形態に係る雌ハウジングの要部斜視図である。
【図９】本発明の実施の形態に係るレバーの側面図である。
【図１０】本発明の実施の形態に係るレバーの要部側面図である。
【図１１】本発明の実施の形態に係るレバー嵌合式コネクタの雌ハウジングとレバーとが本係合した状態を示す断面図である。
【図１２】図１１のｃ−ｄ断面図である。
【図１３】本発明の実施の形態に係るレバー嵌合式コネクタの要部断面図である。
【符号の説明】
【００７５】
１  レバー嵌合式コネクタ
２  雌ハウジング
３  雄ハウジング
５  レバー
６  レバー挿通孔
６Ａ  内壁
１２  回転防止用ロック
１２Ａ  支柱部
１２Ｂ  解除操作用板部
１２Ｃ  垂下アーム
１２Ｄ  回転ロック部
１２Ｅ  両側面
１２Ｆ  内側面
５１  レバー本体
５８  回転ロック用凹部
５８Ａ  底面
５８Ｂ  側壁面
６０  雌ハウジングカバー
６４  筒体挿入口
６５  切り欠き空間
７０  グロメット
７４  レバー入口
７５  解除操作用凹部
【図１】
2006079844.tif 000003
【図２】
2006079844.tif 000004
【図３】
2006079844.tif 000005
【図４】
2006079844.tif 000006
【図５】
2006079844.tif 000007
【図６】
2006079844.tif 000008
【図７】
2006079844.tif 000009
【図８】
2006079844.tif 000010
【図９】
2006079844.tif 000011
【図１０】
2006079844.tif 000012
【図１１】
2006079844.tif 000013
【図１２】
2006079844.tif 000014
【図１３】
2006079844.tif 000015